(57)【特許請求の範囲】
【請求項１】
読取口、及び、情報コードを照明する拡散照明器と明照明器とからなる照明手段と、前記拡散照明器からの光を拡散させる裁頭円錐形状部と前記明照明器からの光を拡散させる円筒形状部とを備える散光板とを備え、結像レンズを通して受光センサで撮像された対象物上の情報コードの画像により刻印された情報コードを読み取る光学情報読取装置であって：
前記対象物上に写った前記照明手段の像が前記結像レンズへ入射するのを防止するため、前記照明手段から前記読取口側へ垂線を降ろした位置の光を遮断する遮光手段を前記読取口の近傍に設け、
前記散光板の裁頭円錐形状部は、前記拡散照明器に近接して設けられ、
前記散光板の円筒形状部は、複数個の発光ダイオードから成る前記明照明器の内側に設けられ、
前記拡散照明器は、前記明照明器を構成する複数個の発光ダイオードの内側であって、
前記読取口から前記明照明器よりも遠方側に配置されたことを特徴とする光学情報読取装置。
【請求項２】
前記遮光手段が、前記散光板の裁頭円錐形状部の裁頭部から前記読取口側へ垂線を降ろした位置の光を遮断するように配置されていると共に、前記散光板の円筒形状部から前記読取口側へ垂線を降ろした位置の光を遮断するように配置されていることを特徴とする請求項１の光学情報読取装置。
【請求項３】
前記拡散照明器と明照明器との点灯を切り替えて照明を行うことを特徴とする請求項１の光学情報読取装置。
【請求項４】
前記遮光手段が、前記読取口に取り付けられ、中央に通孔を備え前記対象物に当接可能に構成さえた弾性部材より成る緩衝体によって構成されていることを特徴とする請求項１〜請求項３のいずれか１の光学情報読取装置。
【請求項５】
前記緩衝体内に、中央の前記通孔側へ光りを照射する照明器を収容したことを特徴とする請求項４の光学情報読取装置。
【請求項６】
前記遮光手段が、前記読取口の外縁から斜めに配置される反射板で構成されることを特徴とする請求項１〜請求項３のいずれか１の光学情報読取装置。
【請求項７】
前記反射板が、前記結像レンズの中心軸に対して、４５°〜６５°の角度に配置されていることを特徴とする請求項６の光学情報読取装置。
【発明の詳細な説明】
【技術分野】
【０００１】
本発明は、バーコード等の一次元コード、及び、ＱＲコード（登録商標）等の二次元コードを読み取ることができる光学情報読取装置に関し、特に、ハンディタイプの光学情報読取装置に関するものである。
【背景技術】
【０００２】
光学情報読取装置でバーコードやＱＲコードを読み取ろうとする際に、照明の角度によりラベル面で照明の像が写り込む正反射（鏡面反射）が生じ、読み取れないことが度々起きる。例えば、セロハン紙で包装された段ボール製の箱にコードが印刷されている場合、セロハン紙で鏡面反射し、コードが読めないことがある。特に、情報コードとしてダイレクトマーキングが、アルミニューム、ガラス等の表面が鏡面状の対象物に刻印されている場合、鏡面反射が生じ易く、読み取りが困難になる。例えば、図１１（Ａ）に示すように、画像（視野）Ｅにリング状の鏡面反射部Ｍが生じている際には、鏡面反射部ＭがＱＲコードＱに掛からない場合には読み取りが可能であるが、図１１（Ｂ）に示すように、リング状の鏡面反射部ＭがＱＲコードＱに掛かると読み取りが出来なくなる。即ち、鏡面反射部により読取視野が狭くなる。
【０００３】
係る鏡面反射に対応するため、特許文献１には、受光センサで画像を取り込み、鏡面反射の有無を判断し、更に、前回と異なる場所の照明を付けて画像を取り込み、２画像を合成する光学情報読取装置が開示されている。
【特許文献１】特開平１１−１２０２８４号
【発明の開示】
【発明が解決しようとする課題】
【０００４】
しかしながら、特許文献１の光学情報読取装置では、画像を合成するために、１回目の画像を取り込んだ後、多くの処理を行い、更に２回目の画像を取り込み、合成処理を行い読み取りを実現している。そのため、読み取り速度は非常に遅くなり、作業者のレスポンスが悪くなる。さらに、一回目に取り込んだ画像で読み取れずに、作業者が光学情報読取装置を情報コードに対して近づけたり、遠ざけたり、傾けたり動かすと、２回目に取り込んだ画像が１回目に取り込んだ画像と大きさが異なり、或いは歪むため、合成出来なくなる。更に、切り換えを可能にするため複数の照明が必要となった。
【０００５】
本発明は、上述した課題を解決するためになされたものであり、その目的とするところは、鏡面反射する対象物の表面に設けられたダイレクトマーキングを、鏡面反射を起こさせること無く照明を行い確実に読み取ることができる光学情報読取装置を提供することにある。
【課題を解決するための手段】
【０００６】
請求項１の光学情報読取装置では、読取口１８、及び、情報コードを照明する拡散照明器と明照明器とからなる照明手段４０と、前記拡散照明器からの光を拡散させる裁頭円錐形状部と前記明照明器からの光を拡散させる円筒形状部とを備える散光板とを備え、結像レンズ２７を通して受光センサ２３で撮像された対象物Ｒ上の刻印された情報コードＱの画像により情報コードを読み取る光学情報読取装置１０であって：
前記対象物Ｒ上に写った前記照明手段４０の像が前記結像レンズ２７へ入射するのを防止するため、前記照明手段４０から前記読取口１８側へ垂線４８Ｌを降ろした位置の光を遮断する遮光手段４６を前記読取口１８の近傍に設け、
前記散光板の裁頭円錐形状部は、前記拡散照明器に近接して設けられ、
前記散光板の円筒形状部は、複数個の発光ダイオードから成る前記明照明器の内側に設けられ、
前記拡散照明器は、前記明照明器を構成する複数個の発光ダイオードの内側であって、
前記読取口から前記明照明器よりも遠方側に配置されたことを技術的特徴とする。
【発明の効果】
【０００７】
請求項１の光学情報読取装置では、照明手段から読取口側へ垂線を降ろした位置の光を遮断する遮光手段を読取口の近傍に設け、対象物上に写った照明手段の像が結像レンズへ入射するのを防止するため、鏡面反射する対象物の表面に設けられたダイレクトマーキングを、鏡面反射を起こさせること無く照明を行い確実に読み取ることができる。拡散照明器に近接して、該拡散照明器からの光を拡散させる散光板の裁頭円錐形状を設け、散光板を介して拡散照明で対象物を照明する。照明手段が複数個の発光ダイオードから成り、該発光ダイオードの内側に、当該複数個の発光ダイオードからの光を拡散させる散光板の円筒形状部を設け、散光板を介して明照明で対象物を照明する。
【０００８】
請求項２の光学情報読取装置では、遮光手段を、散光板の裁頭部から読取口側へ垂線を降ろした位置の光を遮断するように配置し、対象物上に写った照明手段の像が結像レンズへ入射するのを防止するため、鏡面反射する対象物の表面に設けられたダイレクトマーキングを、鏡面反射を起こさせること無く拡散照明を行い確実に読み取ることができる。また、遮光手段を、散光板の円筒形状部から読取口側へ垂線を降ろした位置の光を遮断するように配置し、対象物上に写った複数個の発光ダイオードの像が結像レンズへ入射するのを防止するため、鏡面反射する対象物の表面に設けられたダイレクトマーキングを、鏡面反射を起こさせること無く明照明を行い確実に読み取る。
【０００９】
請求項３の光学情報読取装置では、照明手段が複数個の発光ダイオードから成り、該発光ダイオードの内側に、当該複数個の発光ダイオードからの光を拡散させる円筒形状の散光板を設け、散光板を介して明照明で対象物を照明する。ここで、遮光手段を、円筒形状の散光板から読取口側へ垂線を降ろした位置の光を遮断するように配置し、対象物上に写った複数個の発光ダイオードの像が結像レンズへ入射するのを防止するため、鏡面反射する対象物の表面に設けられたダイレクトマーキングを、鏡面反射を起こさせること無く明照明を行い確実に読み取ることができる。
【００１０】
請求項４の光学情報読取装置では、遮光手段が、読取口に取り付けられ、中央に通孔を備え対象物に当接可能に構成された弾性部材より成る緩衝体によって構成される。このため、該緩衝体により、読取口が対象物に直接当たることを防ぎ、読取口、対象物が傷つくことを防止できる。また、該緩衝体を、照明手段から読取口側へ垂線を降ろした位置の光を遮断する位置に設け、対象物上に写った照明手段の像が結像レンズへ入射するのを防止するため、遮光手段を別途設けること無く、鏡面反射する対象物の表面に設けられたダイレクトマーキングを、鏡面反射を起こさせること無く照明を行い確実に読み取ることができる。
【００１１】
請求項５の光学情報読取装置では、対象物と当接可能な緩衝体内に、中央の通孔側へ光を照射する照明器を収容してあるため、側方から照明する暗視野照明又はローアングル照明によって、対象物を照明し、鏡面反射する対象物の表面に設けられたダイレクトマーキングを、鏡面反射を起こさせること無く確実に読み取ることができる。
【００１２】
請求項６の光学情報読取装置では、遮光手段が、読取口の外縁から対象物側へ斜めに傾斜し配置される反射板で構成される。このため、該反射板で、対象物上に写った照明手段の像が結像レンズへ入射するのを防止すると共に、反射板からの反射光を側方から対象物に当てることができ、側方から照明する暗視野照明又はローアングル照明によって、対象物を照明し、鏡面反射する対象物の表面に設けられたダイレクトマーキングを、鏡面反射を起こさせること無く確実に読み取ることができる。
【００１３】
請求項７の光学情報読取装置では、反射板が結像レンズの中心軸に対して、４５°〜６５°の角度に配置されているため、反射板からの反射光を側方から対象物に当てることができ、側方から照明する暗視野照明又はローアングル照明によって、対象物を照明し、鏡面反射する対象物の表面に設けられたダイレクトマーキングを、鏡面反射を起こさせること無く確実に読み取ることができる。また、対象物に対して読取口を位置合わせが容易な距離に結像レンズの焦点距離を調整することができる。これにより、鮮明な画像を受光センサに結像させることが可能となる。
【発明を実施するための最良の形態】
【００１４】
[第１実施形態]
以下、本発明の光学情報読取装置を２次元コードリーダに適用した第１実施形態について図を参照して説明する。まず、第１実施形態に係る２次元コードリーダ１０の構成概要を図１〜図３に基づいて説明する。図１は、２次元コードリーダ１０の断面図であり、図２は、２次元コードリーダ１０の正面図であり、図１のＡ矢視に相当する。
【００１５】
図１に示すように、２次元コードリーダ１０は、丸みを帯びた薄型のほぼ矩形箱状をなすハウジング本体１１と、このハウジング本体１１の下面ほぼ中央後端寄りにハウジング本体１１に一体に形成されるグリップ部１２と、からなるガンタイプのハウジングを備えている。このグリップ部１２は、作業者が片手で把持可能な程度の外径に設定されており、当該グリップ部１２を握った作業者の人差し指が当接する部位に、読み取り開始を指示するトリガースイッチ１４が設けられている。
【００１６】
ハウジング本体１１の内部には、後述する回路部２０が収容されており、またハウジング本体１１の先端部には、カバー３０を支持するハウジング開口１１ａが形成されている。カバー３０の先端３０Ｆの内周が読取口１８を構成する。なお、図１には、回路部２０を構成するプリント配線板１５、電池１６や、ハウジング開口１１ａ近傍に配置される受光センサ２３、結像レンズ２７等が図示されている。
【００１７】
回路部２０は、主に、拡散照明器４０、明照明器４２、受光センサ２３、結像レンズ２７等の光学系と、読み取り制御を行う図示しない制御装置と、から構成されており、前述したプリント配線板１５に実装あるいはハウジング本体１１内に内装されている。
【００１８】
受光センサ２３は、読取の対象物Ｒや情報コードＱに照射されて反射した反射光を受光可能に構成されるもので、例えば、Ｃ−ＭＯＳやＣＣＤ等の固体撮像素子である受光素子を１００万個オーダでｍ行ｎ列の２次元に配列したエリアセンサが、これに相当する。受光センサ２３は、結像レンズ２７を介して入射する入射光を受光可能に配置されている。
【００１９】
結像レンズ２７は、外部から入射する入射光を集光して受光センサ２３に像を結像可能な結像光学系として機能するもので、例えば、鏡筒とこの鏡筒内に収容される複数の集光レンズにより構成されている。
【００２０】
樹脂から成る円筒形状のカバー３０は、後端３０Ｅがハウジング開口１１ａに固定されている。カバー３０内には、図２に示すよう複数個のＬＥＤをリング状に配置して成る拡散照明器４０と明照明器４２とが設けられている。拡散照明器４０は、結像レンズ２７の近傍に、明照明器４２は、カバー３０の中央部に配置されている。該拡散照明器４０及び明照明器４２との内側には、散光板４４が配置されている。
【００２１】
図３は、光学系の配置位置の説明図である。
散光板４４は、上部４４Ａが、上端開口４４Ｃを備える裁頭円錐形状に形成され、下部４４Ｂが円筒形状に形成されている。散光板４４は、表面がしぼ加工された透明樹脂からなり、裁頭円錐形状の上部４４Ａが、拡散照明器４０からの光を拡散し、受光センサ２３の光軸２７Ｘに沿って鏡面反射するアルミニュームから成る対象物Ｒを照明し、対象物Ｒの表面に刻印により形成されたダイレクトマーキングから成る情報コードＱを読み取り可能にする。また、円筒形状の下部４４Ｂが、明照明器４２からの光を拡散し、受光センサ２３の光軸２７Ｘに斜め側方から対象物Ｒを照明し、対象物Ｒの情報コードＱを読み取り可能にする。情報コードＱでの反射光（拡散光）の内で、結像レンズ２７の光軸２７Ｘに平行な成分が結像レンズ２７に入射し、受光センサ２３で受光される。
【００２２】
散光板４４の下端開口４４Ｄに当接する位置であって、カバー３０の先端３０Ｆ近傍の内壁には、中央に開口４６Ａが形成された遮光板４６が取り付けられている。散光板４４の開口４６Ａは、読取口１８中央部で照明及び受光センサ２３の受光を可能にすると共に、該散光板４４は、散光板４４の裁頭円錐形状の上端開口（裁頭部）４４Ｃから読取口１８側へ垂線４８Ｌを降ろした位置の光を遮断するように配置されている。
【００２３】
第１実施形態の２次元コードリーダ１０は、拡散照明器４０と明照明器４２とを自動、又は、手動により点灯を切り換えて照明を行い情報コードの読み取りを行う。ここで、２次元コードリーダ１０は、拡散照明器４０に近接して、該拡散照明器４０からの光を拡散させる裁頭円錐形状の上部４４Ａを備える散光板４４を設け、散光板４４を介して拡散照明で対象物Ｒを照明する。ここで、散光板４４の裁頭円錐形状の上端開口（裁頭部）４４Ｃから読取口１８側へ垂線４８Ｌを降ろした位置の光を遮断するように遮光板４６を配置し、対象物Ｒ上に写った拡散照明器４０の像が結像レンズ２７へ入射するのを防止するため、鏡面反射する対象物Ｒの表面に設けられたダイレクトマーキングの情報コードＱを、鏡面反射を起こさせること無く拡散照明を行い確実に読み取ることができる。
【００２４】
第１実施形態の２次元コードリーダ１０では、複数個の発光ダイオードから成る明照明器４２の内側に、当該明照明器４２からの光を拡散させる下部４４Ｂが円筒形状の散光板４４を設け、散光板４４を介して明照明器４２で対象物Ｒを照明する。ここで、円筒形状の散光板下部４４Ｂから読取口１８側へ垂線を降ろした位置の光を遮断するように遮光板４６を配置し、対象物Ｒ上に写った明照明器４２の像が結像レンズへ入射するのを防止するため、鏡面反射する対象物Ｒの表面に設けられたダイレクトマーキングの情報コードＱを、鏡面反射を起こさせること無く明照明を行い確実に読み取ることができる。
【００２５】
図１１（Ｃ）は、第１実施形態の２次元コードリーダ１０での受光センサ２３の画像（視野）Ｅを示している。第１実施形態では、図１１（Ａ）、図１１（Ｂ）を参照して上述した従来技術と異なり、リング状の鏡面反射部Ｍが生じないため、視野が狭まらず、視野Ｅ内に情報コードが撮像できれば、読み取りが可能である。
【００２６】
[第１実施形態の第１改変例]
図４を参照して第１実施形態の第１改変例に係る２次元コードリーダ１０について説明する。
図３を参照して上述した第１実施形態では、散光板４４の裁頭円錐形状の上端開口（裁頭部）４４Ｃから読取口１８側へ垂線４８Ｌを降ろした位置の光を遮断するように散光板４４を配置した。これに対して、第１実施形態の第１改変例では、円筒形状の散光板下部４４Ｂから読取口１８側へ垂線を降ろした位置の光を遮断するように遮光板４６を配置してある。拡散照明器４０を消灯し、明照明器４２を点灯した際に、対象物Ｒ上に写った明照明器４２の像が結像レンズへ入射するのを防止するため、鏡面反射する対象物Ｒの表面に設けられたダイレクトマーキングの情報コードＱを、鏡面反射を起こさせること無く明照明を行い確実に読み取ることができる。
【００２７】
[第１実施形態の第２改変例]
図５を参照して第１実施形態の第２改変例に係る２次元コードリーダ１０について説明する。
図３を参照して上述した第１実施形態では、散光板４４が設けられていた。これに対して、第１実施形態の第２改変例では、散光板４４が設けられていない。この第２改変例の構成でも、拡散照明器４０から読取口１８側へ垂線を降ろした位置の光を遮断するように遮光板４６を配置してある。これにより、対象物Ｒ上に写った拡散照明器４０及び明照明器４２の像が結像レンズへ入射するのを防止するため、鏡面反射する対象物Ｒの表面に設けられたダイレクトマーキングの情報コードＱを、鏡面反射を起こさせること無く確実に読み取ることができる。
【００２８】
[第２実施形態]
図６を参照して本発明の第２実施形態に係る２次元コードリーダ１０について説明する。
図３を参照して上述した第１実施形態では、読取口１８の近傍に遮光板４６を設けた。これに対して、第２実施形態の２次元コードリーダ１０では、読取口１８を構成するカバー３０の先端３０Ｆに、中央の通孔５０Ａを備え、対象物Ｒと当接可能な可撓性を備えるドーナッツ状弾性部材から成る緩衝体５０が取り付けられている。そして、緩衝体５０の通孔５０Ａは、読取口１８中央部で照明及び受光センサ２３の受光を可能にすると共に、該緩衝体５０は、散光板４４の裁頭円錐形状の上端開口（裁頭部）４４Ｃから読取口１８側へ垂線４８Ｌを降ろした位置の光を遮断するように配置されている。
【００２９】
第２実施形態の２次元コードリーダ１０では、読取口１８に取り付けられ、中央に通孔５０Ａを備え対象物Ｒに当接可能に構成された緩衝体５０によって遮光を行う。このため、該緩衝体５０により、読取口１８が対象物Ｒに直接当たることを防ぎ、読取口１８、対象物Ｒが傷つくことを防止できる。また、該緩衝体５０を、拡散照明器４０から読取口１８側へ垂線４８Ｌを降ろした位置の光を遮断する位置に設け、対象物Ｒ上に写った拡散照明器４０の像が結像レンズ２７へ入射するのを防止するため、遮光板を別途設けること無く、鏡面反射する対象物Ｒの表面に設けられたダイレクトマーキングから成る情報コードＱを、鏡面反射を起こさせること無く照明を行い確実に読み取ることができる。
【００３０】
[第２実施形態の改変例]
図７を参照して、第２実施形態の改変例に係る２次元コードリーダ１０について説明する。
第２実施形態の改変例では、緩衝体５０内に側方を照明する暗視野照明器５２が設けられ、通孔５０Ａを介して該暗視野照明器５２により、対象物Ｒが水平に近い斜め上方からの暗視野照明又はローアングル照明がなされるように構成されている。第２実施形態の改変例では、対象物Ｒと当接可能な緩衝体５０内に、中央の通孔５０Ａ側へ光を照射する暗視野照明器５２を収容してあるため、側方から照明する暗視野照明器５２によって、対象物Ｒを照明し、鏡面反射する対象物の表面に設けられたダイレクトマーキングから成る情報コードＱを、鏡面反射を起こさせること無く確実に読み取ることができる。
【００３１】
[第３実施形態]
図８を参照して、本発明の第３実施形態に係る２次元コードリーダ１０について説明する。
図３を参照して上述した第１実施形態では、遮光板４６が平板状に形成されていた。これに対して、第３実施形態では、遮光板５４が、ロート状（逆裁頭円錐形状）に形成され、遮光板５４の内面には、光を反射する反射板５６が設けられている。該遮光板５４は、受光センサ２３の光軸２７Ｘに対してθ（４５°〜６５°）の角度で傾けられている。また、該遮光板５４は、散光板４４の裁頭円錐形状の上端開口（裁頭部）４４Ｃから読取口１８側へ垂線４８Ｌを降ろした位置の光を遮断する位置に設けられている。また、第３実施形態では、散光板４４の下端４４Ｂは、光軸２７Ｘに対して鉛直面状に設けられ、明照明器４２からの照明光を拡散する。
【００３２】
第３実施形態の２次元コードリーダ１０では、読取口１８の外縁から斜めに配置される反射板５６で遮光を行う。このため、該反射板５６で、対象物Ｒ上に写った拡散照明器４０及び明照明器４２の像が結像レンズ２７へ入射するのを防止すると共に、反射板５６からの反射光を側方から対象物Ｒに当てることができ、側方から照明する暗視野照明又はローアングル照明によって、対象物Ｒを照明し、鏡面反射する対象物Ｒの表面に設けられたダイレクトマーキングから成る情報コードＱを、鏡面反射を起こさせること無く確実に読み取ることができる。
【００３３】
第３実施形態の２次元コードリーダ１０では、反射板５６が結像レンズ２７の中心軸（光軸）２７Ｘに対して、４５°〜６５°の角度θに配置されているため、反射板５６からの反射光を側方から対象物Ｒに当てることができ、側方から照明する暗視野照明又はローアングル照明によって、対象物Ｒを照明し、鏡面反射する対象物の表面に設けられたダイレクトマーキングから成る情報コードＱを、鏡面反射を起こさせること無く確実に読み取ることができる。また、対象物Ｒに対して読取口１８を位置合わせが容易な距離に結像レンズ２７の焦点距離を調整することができる。これにより、鮮明な画像を受光センサ２３に結像させることが可能となる。
【００３４】
[第４実施形態]
図９を参照して、本発明の第４実施形態に係る２次元コードリーダ１０について説明する。図９（Ａ）は、第４実施形態の２次元コードリーダ１０の構成の説明図であり、図９（Ｂ）は、図９（Ａ）のＢ矢視図であり、図９（Ｃ）は、発光ダイオードの配置位置の説明図である。
第１〜第３実施形態では、ガンタイプの２次元コードリーダ１０であった。これに対して、第４実施形態では、本体を把持し、先端が下方を指向するように曲がった首曲がりタイプである。即ち、ハウジング１１が、矩形部１１Ａと、首曲がり部１１Ｂとから成り、読取口１８には、ハウジング１１の一部を成す遮光部１１Ｃが形成されている。第４実施形態の２次元コードリーダ１０では、図９（Ｃ）に示すように、遮光部１１Ｃによって、ライン状に配置された発光ダイオード９０の対象物への写り込みが防止されている。
【００３５】
[第４実施形態の１改変例]
図１０を参照して、第４実施形態の第１改変例に係る２次元コードリーダ１０について説明する。図１０（Ａ）は、ハウジング内に配置される発光ダイオード９０の説明図であり、図１０（Ｂ）は、読取口１８側から見た２次元コードリーダ１０の説明図である。第４実施形態では、図１０（Ａ）に示すように矩形形状に形成されたハウジング１１の四隅に発光ダイオード９０が置かれ、図１０（Ｂ）に示すように、遮光部１１Ｃによって、四隅に配置された発光ダイオード９０の対象物への写り込みが防止されている。
【００３６】
[第４実施形態の２改変例]
図１０を参照して、第４実施形態の第２改変例に係る２次元コードリーダ１０について説明する。図１０（Ｃ）は、第４実施形態の第２改変例の読取口１８側から見た２次元コードリーダ１０の説明図である。第４実施形態の第２改変例においては、読取口１８の四隅に、図１０（Ａ）を参照して上述した第４実施形態の第１改変例と同様に四隅に設けられた発光ダイオード９０の対象物への写り込みを防止する遮光板４６が設けられている。
【産業上の利用可能性】
【００３７】
上述した実施形態では、本発明の光学情報読取装置と２次元コードリーダに適用した例を挙げたが、本発明の構成は、２次元コードと共に一次元コードを読み取る光学情報読取装置に適用可能であることは言うまでもない。
【図面の簡単な説明】
【００３８】
【図１】本発明の第１実施形態に係る２次元コードリーダの断面図である。
【図２】第１実施形態の２次元コードリーダの正面図である。
【図３】第１実施形態の２次元コードリーダの光学系の配置位置の説明図である。
【図４】第１実施形態の第１改変例に係る２次元コードリーダの光学系の配置位置の説明図である。
【図５】第１実施形態の第２改変例に係る２次元コードリーダの光学系の配置位置の説明図である。
【図６】第２実施形態の２次元コードリーダの光学系の配置位置の説明図である。
【図７】第２実施形態の改変例に係る２次元コードリーダの光学系の配置位置の説明図である。
【図８】第３実施形態の２次元コードリーダの光学系の配置位置の説明図である。
【図９】図９（Ａ）は、第４実施形態の２次元コードリーダ１０の構成の説明図であり、図９（Ｂ）は、図９（Ａ）のＢ矢視図であり、図９（Ｃ）は、発光ダイオードの配置位置の説明図である。
【図１０】図１０（Ａ）は、第４実施形態の第１改変例のハウジング内に配置される発光ダイオード９０の説明図であり、図１０（Ｂ）は、読取口１８側から見た２次元コードリーダ１０の説明図である。図１０（Ｃ）は、第４実施形態の第２改変例の読取口１８側から見た２次元コードリーダ１０の説明図である。
【図１１】図１１（Ａ）、図１１（Ｂ）は、従来技術での画像の説明図であり、図１１（Ｃ）は、第１実施形態の２次元コードリーダでの画像の説明図である。
【符号の説明】
【００３９】
１０  ２次元コードリーダ（光学情報読取装置）
１４  トリガースイッチ
１８  読取口
２３  受光センサ
２７  結像レンズ
２７Ｘ  光軸
３０  カバー
４０  拡散照明器
４２  明照明器
４４  散光板
４６  遮光板
５０  緩衝体
５４  遮光板
５６  反射板
【図１】
0005045276.tif 000002
【図２】
0005045276.tif 000003
【図３】
0005045276.tif 000004
【図４】
0005045276.tif 000005
【図５】
0005045276.tif 000006
【図６】
0005045276.tif 000007
【図７】
0005045276.tif 000008
【図８】
0005045276.tif 000009
【図９】
0005045276.tif 000010
【図１０】
0005045276.tif 000011
【図１１】
0005045276.tif 000012